(57)【要約】【課題】  本発明は、折り機の折丁の数量管理において、折丁にコード情報によって個別管理番号情報を付与し、付与した個別管理番号情報をもとに数量保証や所在地の確認を行う折機の折丁の数量管理装置及びその方法に関するものである。【解決手段】  本発明の折機の折丁の数量管理装置は、巻取用紙が給紙される給紙部、巻取用紙に管理番号がコード化されたコード情報を付与するための管理コード情報形成部、印刷を行う印刷部、印刷された巻取用紙を所定の大きさに折り畳む折機と所定の大きさに断裁する断裁胴を備えた折丁を形成する折部、折丁を搬送する搬送部、抜き取り検査を行うために折丁を搬送中にする搬送部から排出する抜き取り検査排出部、所定部数の折丁を積載し単位部数をスタックバンドラーで結束する積載結束部及び数量管理部を備える。【選択図】  図４
2014121802.tif 000002
【特許請求の範囲】
【請求項１】
巻取用紙が給紙される給紙部、前記巻取用紙に少なくとも管理番号がコード化されたコード情報を付与するための管理コード情報形成部、印刷を行う印刷部、印刷された前記巻取用紙を所定の大きさに折り畳む折機と所定の大きさに断裁する断裁胴を備えた折丁を形成する折部、前記折丁を搬送する搬送部、抜き取り検査を行うために前記折丁を搬送中にする搬送部から排出する抜き取り検査排出部、所定部数の前記折丁を積載し単位部数をスタックバンドラーで結束する積載結束部及び数量管理部を備えた折機の折丁の数量管理装置において、
前記数量管理部は、前記折部から前記搬送部に前記折丁が搬送された直後に、前記折丁の全数の前記コード情報である第１コード情報を読み取るための第１コード情報読み取り部と、
前記抜き取り検査排出部に抜き取られた前記折丁の前記コード情報である第２コード情報を読み取るための第２コード情報読み取り部と、
前記積載結束部に結束される前記折丁の全数の前記コード情報である第３コード情報を読み取るための第３コード情報読み取り部と、
スタックごとに結束された最上部にある前記折丁の前記コード情報である第４コード情報を読み取るための第４コード情報読み取り部と、
前記第１コード情報読み取り部、前記第２コード情報読み取り部、前記第３コード情報読み取り部及び前記第４コード情報読み取り部で読み取られた第１コード情報、第２コード情報、第３コード情報及び第４コード情報を演算するための演算処理部と、
あらかじめ定められた数量管理項目と比較し、一致した場合に正常と判断し、不一致の場合に異常と判断する比較照合部と、
前記判断した結果を報知する報知部を備えて成る折機の折丁の数量管理装置。
【請求項２】
前記演算処理部は、前記第１コード情報読み取り部で読み取られた前記折丁の部数Ａ、前記第２コード情報読み取り部で読み取られた前記折丁の部数Ｂ及び前記第３コード情報読み取り部で読み取られた前記折丁の部数Ｃをそれぞれ算出し、
前記比較照合部は、前記あらかじめ定められた数量管理項目である部数Ａから部数Ｂを減算した値が部数Ｃと一致した場合に正常と判断し、不一致の場合に異常と判断することを特徴とする請求項１記載の折機の折丁の数量管理装置。
【請求項３】
前記演算処理部は、前記第２コード情報読み取り部で読み取られた前記折丁の部数Ｂを算出すると共に前記第４コード情報読み取り部で読み取られた第４コード情報を前記管理番号（Ｄ１、Ｄ２…Ｄｎ−１、Ｄｎ）に変換し、
前記比較照合部は、前記あらかじめ定められた数量管理項目である結束単位部数をＦとした場合に、｛（Ｄ２−Ｄ１）−Ｆ｝＝Ｅｎ、…、｛（Ｄｎ−Ｄｎ−１）−Ｆ｝＝Ｅｎの値がＢと一致した場合に正常と判断し、不一致の場合に異常と判断することを特徴とする請求項１記載の折機の折丁の数量管理装置。
【請求項４】
巻取用紙が給紙される給紙部、前記巻取用紙に管理番号が少なくともコード化されたコード情報を付与するための管理コード情報形成部、印刷を行う印刷部、印刷された前記巻取用紙を所定の大きさに折り畳む折機と所定の大きさに断裁する断裁胴を備えた折丁を形成する折部、前記折丁を搬送する搬送部、抜き取り検査を行うために前記折丁を搬送中にする搬送部から排出する抜き取り検査排出部、所定部数の前記折丁を積載し単位部数をスタックバンドラーで結束する積載結束部及び数量管理部を備えた折機の折丁の数量管理装置を用いた数量管理方法において、
前記数量管理部の第１コード情報読み取り部によって、前記折部から前記搬送部に前記折丁が搬送された直後に、前記折丁の全数の前記コード情報である第１コード情報を読み取る第１コード情報読み取り工程と、
第２コード情報読み取り部によって、前記抜き取り検査排出部に抜き取られた前記折丁の前記コード情報である第２コード情報を読み取る第２コード情報読み取り工程と、
第３コード情報読み取り部によって、前記積載結束部に結束される前記折丁の全数の前記コード情報である第３コード情報を読み取る第３コード情報読み取り工程と、
演算処理部によって、前記第１コード情報読み取り工程、前記第２コード情報読み取り工程及び前記第３コード情報読み取り工程で読み取られた第１コード情報、第２コード情報及び第３コード情報を、前記第１コード情報読み取り工程で読み取られた折丁の部数Ａ、前記第２コード情報読み取り工程で読み取られた折丁の部数Ｂ及び前記第３コード情報読み取り工程で読み取られた折丁の部数Ｃをそれぞれ算出する第１演算処理工程と、
比較照合部によって、前記第１演算処理工程で算出した部数Ａ、部数Ｂ及び部数Ｃにおいて、あらかじめ定められた数量管理項目である部数Ａから部数Ｂを減算した値が部数Ｃと一致した場合に正常と判断し、不一致の場合に異常と判断する第１比較照合工程と、
報知部によって、前記判断した結果を報知する報知工程を有することを特徴とする折機の折丁の数量管理方法。
【請求項５】
巻取用紙が給紙される給紙部、前記巻取用紙に管理番号が少なくともコード化されたコード情報を付与するための管理コード情報形成部、印刷を行う印刷部、印刷された前記巻取用紙を所定の大きさに折り畳む折機と所定の大きさに断裁する断裁胴を備えた折丁を形成する折部、前記折丁を搬送する搬送部、抜き取り検査を行うために前記折丁を搬送中にする搬送部から排出する抜き取り検査排出部、所定部数の前記折丁を積載し単位部数をスタックバンドラーで結束する積載結束部及び数量管理部を備えた折機の折丁の数量管理装置を用いた数量管理方法において、
前記数量管理部の第２コード情報読み取り部によって、前記抜き取り検査排出部に抜き取られた前記折丁の前記コード情報である第２コード情報を読み取る第２コード情報読み取り工程と、
第４コード情報読み取り部によって、スタックごとに結束された最上部にある前記折丁の前記コード情報である第４コード情報を読み取る第４コード情報読み取り工程と、
演算処理部によって、前記第２コード情報読み取り工程及び前記第４コード情報読み取り工程で読み取られた第２コード情報及び第４コード情報を、前記第２コード情報読み取り工程で読み取られた折丁の部数Ｂを算出すると共に前記第４コード情報読み取り工程で読み取られた第４コード情報を管理番号（Ｄ１、Ｄ２…Ｄｎ−１、Ｄｎ）に変換して算出する第２演算処理工程と、
比較照合部によって、前記第２演算処理工程で算出した部数Ｂ、管理番号（Ｄ１、Ｄ２…Ｄｎ−１、Ｄｎ）を、あらかじめ定められた数量管理項目である結束単位部数をＦとした場合に、｛（Ｄ２−Ｄ１）−Ｆ｝＝Ｅｎ、…、｛（Ｄｎ−Ｄｎ−１）−Ｆ｝＝Ｅｎの値がＢと一致した場合に正常と判断し、不一致の場合に異常と判断する第２比較照合工程と、
報知部によって、前記判断した結果を報知する報知工程を有することを特徴とする折機の折丁の数量管理方法。
【発明の詳細な説明】
【技術分野】
【０００１】
本発明は、折機の折丁の数量管理において、折丁に個別管理番号情報を付与し、付与した個別管理番号情報をもとに数量保証や所在地の確認を行う折機の折丁の数量管理装置及びその方法に関するものである。
【背景技術】
【０００２】
一般的に折丁は、品質及び数量管理が求められている。一般的に数量管理は、員数機によって印刷済みの製品の枚数確認が行われている。また、品質管理は、印刷済みの折丁の印刷品質に問題ないのか、所定枚数印刷ごとに抜き取り検査が行われている。また、巻取用紙から折機によって折られた折丁は、印刷品質に加え、折りの品質の抜き取り検査が行われている。折丁の品質は、折り状態、断裁状態が検査される。図１に示すように折丁Ｐ´は、巻取用紙が複数回、折られた状態のものである。
【０００３】
例えば、折丁の折機としては、第１のウエブの幅方向中間部をその長手方向に沿って折り曲げる第１の三角板と、第１の三角板の裏側面に対しその表側面が対向した状態で配置され、第２のウエブの幅方向中間部をその長手方向に沿って折り曲げる第２の三角板と、第１の三角板よりも第１のウエブの走行方向の下流側に配置され、第１の三角板によって折り曲げられた第１のウエブを挟み込むニップローラとを備え、第２の三角板の頂点部が第１の三角板とニップローラとの間に配置されているウエブ折機が開示されている（特許文献１）。
【０００４】
また、裁断胴で裁断した折丁の間隔を離すために上記裁断胴の周速よりもわずかに速い周速で駆動するタイミングローラと、折丁を案内ベルトで挟んで移送する一対の案内ベルトと、上記折丁の間隔にタイミングを合わせて割り込ませる分離爪と切欠き部を有する分離板と、同分離板により振り分けられた折丁を左右に案内する案内路を形成するめに案内板に配設した左右の小径ベルト車と、この小径ベルト車に掛けられた細幅の案内ベルトとを具備し、紙帯から切断した折丁のＡ頁とＢ頁を振り分けてそれぞれの羽根車装置に搬送して排紙テーブルに排出することを特徴とする輪転印刷機の折機が開示されている（特許文献２）。
【０００５】
図２に示すように、巻取用紙から折機１´によって折られた折丁Ｐ´の抜き取り検査としては、巻取用紙Ｐが給紙される給紙部２´と、巻取用紙に連続番号である管理番号を付与する管理番号形成部３´と、印刷を行う印刷物４´と、印刷された巻取用紙を所定の大きさに折り畳む折機５´と所定の大きさに断裁する断裁胴６´を備えた折部７´と、折丁Ｐ´を搬送する搬送部８´と、所定部数の折丁Ｐ´を積載し単位部数をスタックバンドラーで結束する積載結束部９´を備えた折機１´において、搬送部８´で折丁Ｐ´が連続的に連なって流れた中から所定部数の折丁Ｐ´を検査人が抜き取り目視で印刷状態、折り状態、オートペースタ、断裁状態等を検査している。
【０００６】
また、巻取用紙から折機１´によって折られた折丁Ｐ´の数量管理としては、積載結束部９´によって所定部数の折丁Ｐ´を積載し単位部数（２５０部、５００部等）をスタックバンドラーで結束する。このとき、スタックバンドラーで結束されたスタックの最上部にある折丁Ｐ´の連続番号である管理番号が所定の管理番号であるか否か検査人が目視で検査することによって数量管理を行っていた。このとき、図２及び図３に示すように数量管理の検査人は、搬送部８´で所定部数の折丁Ｐ´が抜き取られると、最上部にある折丁Ｐ´の管理番号にずれが生じるため、抜き取り検査を行う検査人から抜き取り検査部数の報告を受け、スタック内訳表に記入すると共に、スタックごとにスタック内訳表に管理番号を記入することで、最上部にある折丁Ｐ´の管理番号が所定の管理番号であるか否かチェックすることが可能であり、抜き取り検査の有無及びスタック間の数量異常を導き出していた。また、ロットごとの数量確認及び半日ごとの総印刷部数等を集計するために、数量確認表の記入を行っていた。なお、抜き取り検査を行う検査人は、抜き取った折丁Ｐ´の管理番号及び抜き取り部数を帳票に記載し、最終的に数量管理の検査人で作製している帳票の数量と突き合わせを行っている。
【先行技術文献】
【特許文献】
【０００７】
【特許文献１】特開２００８−０１３３２０号公報
【特許文献２】特公平０８−０２５６８０号公報
【発明の概要】
【発明が解決しようとする課題】
【０００８】
上記記載のように折丁Ｐ´の数量管理は、折丁Ｐ´に印刷された管理番号を作業者が目視で読み取り、スタックごとにスタック内訳表に管理番号を記載し、人手によって計算し抜き取りの有無を確認していたため、スタッカーから排出されるスタックのスピードが速い場合、排出スピードに計算が追い付かない問題、各種準備作業、数量確認連絡、数量異常時の員数確認等が滞る問題があった。また、ロットごとの数量確認及び半日ごとの総印刷部数を集計するために、数量確認表の記入を行っていたが、計算や確認がすべて人手によるものであったため、確認ミスや計算ミス、工程間での集計違いなどが発生する問題があった。
【０００９】
本発明は、前述した課題の解決を目的とするものであり、折機の折丁の数量管理において、折丁にコード情報によって個別管理番号情報を付与し、付与した個別管理番号情報をもとに数量保証や所在地の確認を行う折機の折丁の数量管理装置及びその方法を提案するものである。
【課題を解決するための手段】
【００１０】
本発明の折機の折丁の数量管理装置は、巻取用紙が給紙される給紙部、巻取用紙に少なくとも管理番号がコード化されたコード情報を付与するための管理コード情報形成部、印刷を行う印刷部、印刷された巻取用紙を所定の大きさに折り畳む折機と所定の大きさに断裁する断裁胴を備えた折丁を形成する折部、折丁を搬送する搬送部、抜き取り検査を行うために折丁を搬送中にする搬送部から排出する抜き取り検査排出部、所定部数の折丁を積載し単位部数をスタックバンドラーで結束する積載結束部及び数量管理部を備えた折機の折丁の数量管理装置において、数量管理部は、折部から搬送部に折丁が搬送された直後に、折丁の全数のコード情報である第１コード情報を読み取るための第１コード情報読み取り部と、抜き取り検査排出部に抜き取られた折丁のコード情報である第２コード情報を読み取るための第２コード情報読み取り部と、積載結束部に結束される折丁の全数のコード情報である第３コード情報を読み取るための第３コード情報読み取り部と、スタックごとに結束された最上部にある折丁のコード情報である第４コード情報を読み取るための第４コード情報読み取り部と、第１コード情報読み取り部、第２コード情報読み取り部、第３コード情報読み取り部及び第４コード情報読み取り部で読み取られた第１コード情報、第２コード情報、第３コード情報及び第４コード情報を演算するための演算処理部と、あらかじめ定められた数量管理項目と比較し、一致した場合に正常と判断し、不一致の場合に異常と判断する比較照合部と、判断した結果を報知する報知部を備えて成ることを特徴とする。
【００１１】
本発明の演算処理部は、第１コード情報読み取り部で読み取られた折丁の部数Ａ、第２コード情報読み取り部で読み取られた折丁の部数Ｂ及び第３コード情報読み取り部で読み取られた折丁の部数Ｃをそれぞれ算出し、比較照合部は、あらかじめ定められた数量管理項目である部数Ａから部数Ｂを減算した値が部数Ｃと一致した場合に正常と判断し、不一致の場合に異常と判断することを特徴とする。
【００１２】
本発明の演算処理部は、第２コード情報読み取り部で読み取られた折丁の部数Ｂを算出すると共に第４コード情報読み取り部で読み取られた第４コード情報を管理番号（Ｄ１、Ｄ２…Ｄｎ−１、Ｄｎ）に変換し、比較照合部は、あらかじめ定められた数量管理項目である結束単位部数をＦとした場合に、｛（Ｄ２−Ｄ１）−Ｆ｝＝Ｅｎ、…、｛（Ｄｎ−Ｄｎ−１）−Ｆ｝＝Ｅｎの値がＢと一致した場合に正常と判断し、不一致の場合に異常と判断することを特徴とする。
【００１３】
本発明の折機の折丁の数量管理方法は、巻取用紙が給紙される給紙部、巻取用紙に管理番号が少なくともコード化されたコード情報を付与するための管理コード情報形成部、印刷を行う印刷部、印刷された巻取用紙を所定の大きさに折り畳む折機と所定の大きさに断裁する断裁胴を備えた折丁を形成する折部、折丁を搬送する搬送部、抜き取り検査を行うために折丁を搬送中にする搬送部から排出する抜き取り検査排出部、所定部数の折丁を積載し単位部数をスタックバンドラーで結束する積載結束部及び数量管理部を備えた折機の折丁の数量管理装置を用いた数量管理方法において、数量管理部の第１コード情報読み取り部によって、折部から搬送部に折丁が搬送された直後に、折丁の全数のコード情報である第１コード情報を読み取る第１コード情報読み取り工程と、第２コード情報読み取り部によって、抜き取り検査排出部に抜き取られた折丁のコード情報である第２コード情報を読み取る第２コード情報読み取り工程と、第３コード情報読み取り部によって、積載結束部に結束される折丁の全数のコード情報である第３コード情報を読み取る第３コード情報読み取り工程と、演算処理部によって、第１コード情報読み取り工程、第２コード情報読み取り工程及び第３コード情報読み取り工程で読み取られた第１コード情報、第２コード情報及び第３コード情報を、第１コード情報読み取り工程で読み取られた折丁の部数Ａ、第２コード情報読み取り工程で読み取られた折丁の部数Ｂ及び第３コード情報読み取り工程で読み取られた折丁の部数Ｃをそれぞれ算出する第１演算処理工程と、比較照合部によって、第１演算処理工程で算出した部数Ａ、部数Ｂ及び部数Ｃにおいて、あらかじめ定められた数量管理項目である部数Ａから部数Ｂを減算した値が部数Ｃと一致した場合に正常と判断し、不一致の場合に異常と判断する第１比較照合工程と、報知部によって、判断した結果を報知する報知工程を有することを特徴とする。
【００１４】
本発明の折機の折丁の数量管理方法は、巻取用紙が給紙される給紙部、巻取用紙に管理番号が少なくともコード化されたコード情報を付与するための管理コード情報形成部、印刷を行う印刷部、印刷された巻取用紙を所定の大きさに折り畳む折機と所定の大きさに断裁する断裁胴を備えた折丁を形成する折部、折丁を搬送する搬送部、抜き取り検査を行うために折丁を搬送中にする搬送部から排出する抜き取り検査排出部、所定部数の折丁を積載し単位部数をスタックバンドラーで結束する積載結束部及び数量管理部を備えた折機の折丁の数量管理装置を用いた数量管理方法において、数量管理部の第２コード情報読み取り部によって、抜き取り検査排出部に抜き取られた折丁のコード情報である第２コード情報を読み取る第２コード情報読み取り工程と、第４コード情報読み取り部によって、スタックごとに結束された最上部にある折丁のコード情報である第４コード情報を読み取る第４コード情報読み取り工程と、演算処理部によって、第２コード情報読み取り工程及び第４コード情報読み取り工程で読み取られた第２コード情報及び第４コード情報を、第２コード情報読み取り工程で読み取られた折丁の部数Ｂを算出すると共に第４コード情報読み取り工程で読み取られた第４コード情報を管理番号（Ｄ１、Ｄ２…Ｄｎ−１、Ｄｎ）に変換して算出する第２演算処理工程と、比較照合部によって、第２演算処理工程で算出した部数Ｂ、管理番号（Ｄ１、Ｄ２…Ｄｎ−１、Ｄｎ）を、あらかじめ定められた数量管理項目である結束単位部数をＦとした場合に、｛（Ｄ２−Ｄ１）−Ｆ｝＝Ｅｎ、…、｛（Ｄｎ−Ｄｎ−１）−Ｆ｝＝Ｅｎの値がＢと一致した場合に正常と判断し、不一致の場合に異常と判断する第２比較照合工程と、報知部によって、判断した結果を報知する報知工程を有することを特徴とする。
【発明の効果】
【００１５】
本発明の折機の折丁の数量管理装置及びその方法は、折丁にコード情報によって個別管理番号情報を付与し、付与した個別管理番号情報を第１乃至第４コード情報読み取り部で読み取り、あらかじめ定められた数量管理項目と比較することで、全数の数量管理、製造ラインでの正紙、抜き取り検査、オートペースタ等によって移動した折丁の数量管理や追跡調査等の所在地の確認等を行うことができる。また、従来のように人手による数量管理を行くことないため、作業ラインでの遅れが発生することなく、数量管理項目に基づき自動計算されるため、数量確認や計算ミス、工程間での集計違いなどが発生することがない。また、作業中のスタック内訳計算及び確認、ロット毎の数量確認計算、半日毎の数量確認表の計算を確実に行うことができ、各工程の作業員にリアルタイムに報知することができる。
【図面の簡単な説明】
【００１６】
【図１】折丁Ｐ´を示す図である。
【図２】従来の折丁の折機を示す図である。
【図３】従来の数量管理を示す図である。
【図４】本発明の折機の折丁の数量管理装置を示す図である。
【図５】給紙部２の一例を示す図である。
【図６】管理コード情報形成部３の一例を示す図である。
【図７】印刷部４の一例を示す図である。
【図８】折部７の一例を示す図である。
【図９】搬送部の一例を示す図である。
【図１０】抜き取り検査排出部１０の一例を示す図である。
【図１１】積載結束部９の一例を示す図である。
【図１２】数量管理部１１の一例を示す図である。
【図１３】各コード情報のデータの流れを示す図である。
【図１４】数量管理部１１の演算処理部１１ｅ、比較照合部１１ｆ及び報知部１１ｇの一例を示す図である。
【図１５】折機の折丁の数量管理方法１のフローチャートを示す図である。
【図１６】折機の折丁の数量管理方法２のフローチャートを示す図である。
【発明を実施するための形態】
【００１７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１８】
図４に示すように本発明の折機の折丁の数量管理装置は、給紙部２、管理コード情報形成部３、印刷部４、折機５と断裁胴６を備えた折丁を形成する折部７、搬送部８、抜き取り検査排出部１０、積載結束部９及び数量管理部１１を備えて成る。数量管理部１１は、第１コード情報読み取り部１１ａ、第２コード情報読み取り部１１ｂ、第３コード情報読み取り部１１ｃ、第４コード情報読み取り部１１ｄ、演算処理部１１ｅ、比較照合部１１ｆ、報知部１１ｇを備えて成る。
【００１９】
給紙部２は、巻取用紙Ｐが給紙される。図５は、給紙部２の一例を示す図である。図５に示すように給紙部２は巻取用紙Ｐが３本保持できる。第１の巻取用紙から給紙されているとすると、第２の巻取用紙は紙継ぎ準備状態にあり、第１の巻取用紙が少なくなると、第２の巻取用紙が第１の巻取用紙に紙継ぎされる。第２の巻取用紙から給紙されている間に第１の巻取用紙の残芯が取り外され代わりに新しい巻取用紙が装填される。そして、第３の巻取用紙には紙継ぎ準備がなされる。このようにして、給紙部２から管理コード情報形成部３へ連続的に用紙が繰り出されることになる。本発明の折機の折丁の数量管理装置の給紙部２の構成については、図５に限定されるものではない。
【００２０】
管理コード情報形成部３は、巻取用紙Ｐに少なくとも管理番号がコード化されたコード情報を付与する。図６は、管理コード情報形成部３の一例を示す図である。図６に示すように管理コード情報形成部３はインクジェットプリンタ、レーザマーカ等、コード情報が印刷可能な構成であれば特に限定されるものではない。コード化された管理番号は、連続番号であることが好ましく、管理番号の他に、管理番号情報として、印刷日時、印刷機械番号、製品名、折数等、製造する印刷物に必要な情報をコード情報と組み込むことができる。
【００２１】
コード情報は、一次元バーコード、二次元バーコード等、特に限定されるものではなく、公知のコードを用いることができる。コード情報は、折機の折丁の数量管理装置に設置される第１コード情報読み取り部乃至第４コード情報読み取り部、又はオフラインハンディータイプコード情報読取装置で読み取りを行うことができる。バーコードの印字サイズは、第１コード情報読み取り部乃至第４コード情報読み取り部並びにオフラインハンディータイプコード情報読取装置で読み取り可能なサイズであり、かつ、印刷紙面に印字可能なものとする。バーコードの印字色は第１コード情報読み取り部乃至第２コード情報読み取り部並びにオフラインハンディータイプコード情報読取装置で読み取り可能であれば、可視光領域有色以外のものも使用できる。
【００２２】
印刷部４は、巻取用紙Ｐに、印刷を行う。図７は、印刷部４の一例を示す図である。印刷部４の印刷方式は、特に限定されることがないが、輪転印刷方式が好ましい。例えば、図７に示すように、主に輪転印刷方式は、印刷用版面が取り付けられた円筒状の第１版胴、円筒状のインキ転写用の第１ブランケット胴、印刷用版面が取り付けられた円筒状の第２版胴及び円筒状のインキ転写用の第１ブランケット胴から成る。円筒状の第１版胴及び円筒状のインキ転写用の第１ブランケット胴が隣接され、円筒状の第２版胴及び円筒状のインキ転写用の第２ブランケット胴が隣接され、第１ブランケット胴と第２ブランケット胴の間に巻取用紙Ｐが走行し、巻取用紙Ｐの表裏に第１ブランケット胴と第２ブランケット胴によってインキが転写される。本発明は、これに限定されることなく、印刷用版面が取り付けられた円筒状の第１版胴、円筒状のインキ転写用の第１ブランケット胴、圧胴を設けてもよい。この場合は、第１ブランケット胴と圧胴の間に巻取用紙Ｐが走行し、巻取用紙Ｐに第１ブランケット胴によってインキが転写される。
【００２３】
折部７は、折機５及び断裁胴６を備えて成り、折機５は、印刷された巻取用紙Ｐを所定の大きさに折り畳み、断裁胴６は、折り畳まれた巻取用紙Ｐを所定の大きさに断裁する。図８は、折部７の一例を示す図である。図８に示すように詳細には、折部７は、一対のフォーミングローラ５ａ及び折胴５ｂである折機５と断裁胴６を有する。印刷された巻取用紙Ｐは折部７に入り、三角状のフォーマー及びその下部に設けられた一対のフォーミングローラ５ａによって進行方向に対して平行な形で二つ折り（縦折り）される。二つ折りされた巻取用紙Ｐは、フォーミングローラ下部に設けられたニッピングローラによって断裁胴６に搬送される。断裁胴６には鋸台に支持された鋸歯が組み込まれており、対向配置された折胴５ｂ及び断裁胴６の回転動作によって二つ折りされた巻取り用紙を進行方向に対して直角に、一定ピッチで断裁する。断裁された巻取用紙Ｐは折胴で折り畳まれ、折丁の形態になる。
【００２４】
搬送部８は、折丁Ｐ´を積載結束部９に搬送する。図９に示すように折胴５ｂから排出された折丁Ｐ´は回転するファンによって搬送部８へ送られる。搬送部８は、載荷部、搬送部、脱荷から成り、搬送装置上の折丁を載荷部にあるグリッパで一部ずつ掴み搬送部へ送られる（図示せず）。折丁Ｐ´は搬送部８の先の脱荷部でグリッパから離され、積載結束部９に入る。
【００２５】
図１０に示すように抜き取り検査排出部１０は、抜き取り検査を行うために折丁Ｐ´を搬送中にする搬送部８から排出する。搬送部８において搬送中の折丁Ｐ´の中から任意の折丁Ｐ´を選択して抜き取りを行う。選択され折丁Ｐ´は搬送部８の流れから分岐した第２の搬送ルートに送られ、第２コード情報読み取り部１１ｂによってコード情報の読み取りが行われる。コード情報が読み取られた折丁Ｐ´は、抜き取り検査冊子用排出部から排出される（図示せず）。ダベリオ搬送装置は、排出された折丁冊子の一端をグリッパによって保持し積載結束部へ搬送するものである。
【００２６】
図１１に示すよう積載結束部９は、積載部９ａ、結束部９ｂを有する。搬送部８によって運ばれた折丁Ｐ´は、積載結束部９によって所定部数の折丁Ｐ´を積載し、単位部数をスタックバンドラーで結束する。搬送部８から積載部９ａに搬送された折丁Ｐ´は計数装置によって計数され、任意に設定された部数に達すると排出が行われ、結束部９ｂへ送られ、結束部９ｂでは積載状態の折丁Ｐ´に対して結束を行う。
【００２７】
図１２に数量管理部１１を示す。図１２に示すように数量管理部１１は、第１コード情報読み取り部１１ａ、第２コード情報読み取り部１１ｂ、第３コード情報読み取り部１１ｃ、第４コード情報読み取り部１１ｄ、演算処理部１１ｅ、比較照合部１１ｆ及び報知部１１ｇを備えて成る。第１コード情報読み取り部１１ａは、折部７から搬送部８に折丁Ｐ´が搬送された直後に、折丁Ｐ´の全数のコード情報を読み取る。第１コード情報読み取り部１１ａは、折部７から搬送部８に折丁Ｐ´が搬送された直後の搬送部８の上部に設置される。第２コード情報読み取り部１１ｂは、抜き取り検査排出部１０に抜き取られた折丁Ｐ´のコード情報を読み取る。第２コード情報読み取り部１１ｂは、検査排出部１０の上部に設置される。第３コード情報読み取り部１１ｃは、積載結束部９に結束される折丁Ｐ´の全数のコード情報を読み取る。第３コード情報読み取り部１１ｃは、積載結束部９の上部に設置される。第４コード情報読み取り部１１ｄは、結束された最上部にある折丁Ｐ´のコード情報を読み取る。第４コード情報読み取り部１１ｄは、積載結束部９の下流の上部に設置される。
【００２８】
第１コード情報読み取り部１１ａ、第２コード情報読み取り部１１ｄ、第３コード情報読み取り部１１ｃ及び第４コード情報読み取り部１１ｄで読み取られた第１コード情報、第２コード情報、第３コード情報及び第４コード情報は、演算処理部１１ｅによって、第１コード情報読み取り部で読み取られた折丁Ｐ´の部数Ａ、第２コード情報読み取り部で読み取られた折丁Ｐ´の部数Ｂ、第３コード情報読み取り部で読み取られた折丁Ｐ´の部数Ｃ及び第４コード情報読み取り部で読み取られた折丁Ｐ´の部数Ｄをそれぞれ自動的に算出する。なお、部数Ａ、部数Ｂ及び部数Ｃの読み取りは、必須である。また、演算処理部１１ｅは、第４コード情報読み取り部１１ｄで読み取られた第４コード情報を管理番号（Ｄ１、Ｄ２…Ｄｎ−１、Ｄｎ）に変換する。
【００２９】
比較照合部１１ｆは、あらかじめ定められた数量管理項目と比較照合し、数量管理項目と一致した場合に正常と判断し、不一致の場合に異常と判断する。比較照合部１１ｆによって判断した結果については、報知部１１ｇによって作業者に報知する。
【００３０】
例えば、図１３に示すように数量管理項目が全数に管理である場合において、第１コード情報読み取り部１１ａで得られた部数Ａから第２コード情報読み取り部１１ｂで得られた部数Ｂを減算した値が第３コード情報読み取り部１１ｃで得られた部数Ｃと一致した場合に正常と判断し、不一致の場合に異常と判断することで全数の管理を行うことができる。詳細には、図１３に示すように第１コード読み取り部１１ａで読み取られたコード情報が総印刷部数である部数Ａであり、第２コード読み取り部１１ｂは抜き取り総部数である部数Ｂである。抜き取り総部数Ｂは抜き取り毎の折丁Ｐ´の合計（Ｂ１＋Ｂ２＋…Ｂｎ）となる。第３コード読み取り部１１ｃは抜き取り後にスタックバンドラーに搬送される折丁Ｐ´の合計である部数Ｃであり、Ａ−Ｂ＝Ｃとなる。
【００３１】
また、図１３に示すように数量管理項目が折丁Ｐ´の抜き取り部数と結束された最上部にある折丁Ｐ´のコード情報の管理である場合において、第２コード情報読み取り部で読み取られた折丁の部数Ｂを算出すると共に第４コード情報読み取り部で読み取られた第４コード情報を管理番号（Ｄ１、Ｄ２…Ｄｎ−１、Ｄｎ）に変換し、あらかじめ定められた数量管理項目である結束単位部数をＦとした場合に、｛（Ｄ２−Ｄ１）−Ｆ｝＝Ｅｎ、…、｛（Ｄｎ−Ｄｎ−１）−Ｆ｝＝Ｅｎの値がＢと一致した場合に正常と判断し、不一致の場合に異常と判断することで折丁Ｐ´の抜き取り部数と結束された最上部にある折丁Ｐ´の整合性の管理を行うことができる。詳細には、第４コード読み取り部１１ｄは単位部数で結束された折丁Ｐ´の最上部折丁Ｐ´のコード情報を読み取り前後スタックの差から抜き取り折丁Ｐ´の数を導出する。結束単位部数をＦ、各スタックの最上部折丁Ｐ´のコード情報を（Ｄ１、Ｄ２…Ｄｎ）、計算結果をＥとすると、｛（Ｄｎ−Ｄｎ−１）−Ｆ｝＝Ｅｎとなり、Ｅ＝０であった場合は抜き取り折丁Ｐ´ありスタックとなる。各計算結果Ｅｎは（Ｅ１、Ｅ２、…Ｅｎ）となり、各Ｅｎの合計Ｅは（Ｅ１＋Ｅ２＋…Ｅｎ）となる。第２コード読み取り部１１ｂで読み取られた部数Ｂと第４コード読み取り部１１ｄで読み取られた部数Ｅが同じ値であれば、印刷された冊子に対して抜き取りを行った折丁Ｐ´とスタックされた折丁Ｐ´の合計の数量が一致することにより、数量保証を行うことができるのである。
【００３２】
報知部１１ｇは、判断した結果を報知する。報知部１１ｇは、液晶等の小型表示画面、バイブレーション、音声、出力用紙等によって作業者にリアルタイムに作業管理状況を報知する。
【００３３】
図１４に示すように数量管理部１１の演算処理部１１ｅ、比較照合部１１ｆ及び報知部１１ｇは、一般的なＰＣや専用のワークステーション、サーバ等である。演算処理部１１ｅ、比較照合部１１ｆ及び報知部１１ｇを搭載している端末は、ネットワークによりクライアント端末である工程Ａ操作端末、工程Ｂ操作端末に接続され、各操作端末で帳票類の出力、モニタにより作業者は、作業状況を把握することができる。第１コード情報読み取り部乃至第４コード情報読み取り部、又はオフラインハンディータイプコード情報読取装置で読み取ることのできなかったコード情報は演算処理部１１ｅ、比較照合部１１ｆ及び報知部１１ｇを搭載している端末、工程Ａ操作端末、工程Ｂ操作端末を用いて手動で入力することができる。読み取った管理番号情報はサーバで一括管理し、サーバと接続された工程Ａ操作端末、工程Ｂ操作端末で数量確認作業や帳票類の出力を作業者が行う。読み取られたデータは演算処理部１１ｅ、比較照合部１１ｆ及び報知部１１ｇを搭載している端末に保存蓄積され、任意のタイミングで読み出すことができ、画面表示、印刷出力することができる。帳票類のデータは数量管理プログラムによって自動作成し、任意のタイミングで印刷出力を行うことができる。
【００３４】
図１５及び１６に折機の折丁の数量管理方法のフローチャートについて示す。折機の折丁の数量管理方法は、上記説明した巻取用紙が給紙される給紙部、巻取用紙に少なくとも管理番号がコード化されたコード情報を付与するための管理コード情報形成部、印刷を行う印刷部、印刷された巻取用紙を所定の大きさに折り畳む折機と所定の大きさに断裁する断裁胴を備えた折丁を形成する折部、折丁を搬送する搬送部、抜き取り検査を行うために折丁を搬送中にする搬送部から排出する抜き取り検査排出部、所定部数の折丁を積載し単位部数をスタックバンドラーで結束する積載結束部及び数量管理部を備えた折機の折丁の数量管理装置を用いて行われる。数量管理前の製造工程は、給紙部によって巻取用紙が給紙され、管理コード情報形成部によって巻取用紙に少なくとも管理番号がコード化されたコード情報が付与され、印刷部によってコード情報が印刷された巻取用紙に印刷を行い、折部によって、印刷された巻取用紙を所定の大きさに折り畳む折機と所定の大きさに断裁する断裁胴を備えた折丁を形成し、搬送部によって折丁を搬送し、下記に記載する折機の折丁の数量管理方法１及び２によって管理される。
【００３５】
（折機の折丁の数量管理方法１）
図１５に示すように第１のＳＴＥＰの第１コード情報読み取り工程で数量管理部の第１コード情報読み取り部によって、折部から搬送部に折丁が搬送された直後に、折丁の全数のコード情報である第１コード情報を読み取る。
【００３６】
第２のＳＴＥＰの第２コード情報読み取り工程は、数量管理部の第２コード情報読み取り部によって、抜き取り検査排出部に抜き取られた折丁のコード情報である第２コード情報を読み取る。
【００３７】
第３のＳＴＥＰの第３コード情報読み取り工程は、数量管理部の第３コード情報読み取り部によって、積載結束部に結束される折丁の全数のコード情報である第３コード情報を読み取る。
【００３８】
第４のＳＴＥＰの第１演算処理工程は、第１のＳＴＥＰ乃至第３のＳＴＥＰの読み取られた第１コード情報乃至第３コードにおいて、演算処理部によって、第１コード情報読み取り部で読み取られた折丁の部数Ａ、第２コード情報読み取り部で読み取られた折丁の部数Ｂ及び第３コード情報読み取り部で読み取られた折丁の部数Ｃをそれぞれ算出する。
【００３９】
第５のＳＴＥＰの第１比較照合工程は、第４のＳＴＥＰで算出された部数Ａ、部数Ｂ及び部数Ｃにおいて、比較照合部によって、あらかじめ定められた数量管理項目である部数Ａから部数Ｂを減算した値が部数Ｃと一致した場合に正常と判断し、不一致の場合に異常と判断する。
【００４０】
第６のＳＴＥＰの報知工程は、第５のＳＴＥＰの判断結果に基づき、報知部によって、判断した結果を報知することを特徴とする。
【００４１】
（折機の折丁の数量管理方法２）
図１６に示すように第１のＳＴＥＰの第２コード情報読み取り工程は、数量管理部の第２コード情報読み取り部によって、抜き取り検査排出部に抜き取られた折丁のコード情報である第２コード情報を読み取る。
【００４２】
第２のＳＴＥＰの第４コード情報読み取り工程は、第４コード情報読み取り部によって、スタックごとに結束された最上部にある折丁のコード情報である第４コード情報を読み取る。
【００４３】
第３のＳＴＥＰの第２演算処理工程は、第１のＳＴＥＰ及び第２のＳＴＥＰの読み取られた第２コード情報及び第４コード情報において、演算処理部によって、第２コード情報読み取り部で読み取られた折丁の部数Ｂを算出すると共に第４コード情報読み取り部で読み取られた第４コード情報を管理番号（Ｄ１、Ｄ２…Ｄｎ−１、Ｄｎ）に変換して算出する。
【００４４】
第４のＳＴＥＰの第２比較照合工程は、第３のＳＴＥＰで算出された部数Ｂ、管理番号（Ｄ１、Ｄ２…Ｄｎ−１、Ｄｎ）において、比較照合部によって、あらかじめ定められた数量管理項目である結束単位部数をＦとした場合に、｛（Ｄ２−Ｄ１）−Ｆ｝＝Ｅｎ、…、｛（Ｄｎ−Ｄｎ−１）−Ｆ｝＝Ｅｎの値がＢと一致した場合に正常と判断し、不一致の場合に異常と判断する。
【００４５】
第５のＳＴＥＰの報知工程は、第４のＳＴＥＰの判断結果に基づき、報知部によって、判断した結果を報知することを特徴とする。
【符号の説明】
【００４６】
１  折機の折丁の数量管理装置
１´  従来の折機
２、２´  給紙部
３  管理コード情報形成部
３´  管理番号形成部
４、４´  印刷部
５、５´  折機
５ａ  一対のフォーミングローラ
５ｂ  折胴
６、６´  断裁胴
７、７´  折部
８、８´  搬送部
９、９´  積載結束部
９ａ  積載部
９ｂ  結束部
１０  抜き取り検査排出部
１１  数量管理部
１１ａ  第１コード情報読み取り部
１１ｄ  第２コード情報読み取り部
１１ｃ  第３コード情報読み取り部
１１ｄ  第４コード情報読み取り部
１１ｅ  演算処理部は、
１１ｆ  比較照合部
１１ｇ  報知部
Ｐ  巻取用紙Ｐ
Ｐ´  折丁
【図１】
2014121802.tif 000003
【図２】
2014121802.tif 000004
【図３】
2014121802.tif 000005
【図４】
2014121802.tif 000006
【図５】
2014121802.tif 000007
【図６】
2014121802.tif 000008
【図７】
2014121802.tif 000009
【図８】
2014121802.tif 000010
【図９】
2014121802.tif 000011
【図１０】
2014121802.tif 000012
【図１１】
2014121802.tif 000013
【図１２】
2014121802.tif 000014
【図１３】
2014121802.tif 000015
【図１４】
2014121802.tif 000016
【図１５】
2014121802.tif 000017
【図１６】
2014121802.tif 000018